(57)【特許請求の範囲】
【請求項１】
魚の顎を係着する係着部と、握り部と、該係着部と握り部とを連結するとともに該係着部と握り部との回動中心となるピン孔が形成された連結部とを備えた挾持部材と、
前記係着部に対して所定の間隔で対向させられて魚の顎を挾持する受け部と、握り部と、該受け部と握り部とを連結するとともに該受け部と握り部との回動中心となるピン孔が形成された連結部とを備えた受け部材と、
前記挾持部材のピン孔と受け部材のピン孔とに挿通させ、該挾持部材と受け部材とを回動自在に結合するピン部材と、
前記挾持部材と受け部材に設けられた、前記係着部と受け部とで魚の顎を挾持した状態を保持するためのロック手段と、
前記ロック手段に含まれた、前記挾持部材の所定位置に設けられたロックピンが挿入できるロックピン挿入部、及び前記受け部材の所定位置に設けられた該ロックピンの少なくとも一部が係合できるロックピン係止部と、
を含み、
前記ロックピン係止部が、山部と谷部が、この順で複数個連続した形状であり、前記挾持部材又は前記受け部材を前記ピン部材を軸として回動させることによって、前記ロックピン挿入部の所定部分と複数の前記谷部のいずれかを合わせることができる魚つかみ器。
【請求項２】
前記ロックピン挿入部が２つであり、一方のロックピン挿入部と前記谷部が一致するならば、他方のロックピン挿入部と前記山部とが一致する請求項１に記載の魚つかみ器。
【請求項３】
前記系着部及び前記受け部が、それぞれ湾曲した凸状形及び凹状形であることを特徴とした請求項１または２に記載の魚つかみ器。
【発明の詳細な説明】
【０００１】
【発明の属する技術分野】
本発明は、魚つかみ器に関し、特に魚の下顎を挾持することによって魚をつかむことが可能な魚つかみ器に関する。
【０００２】
【従来の技術】
従来から、魚釣りにおいて、釣れた魚を手でつかんで、もう一方の手で口に刺さった釣針を外している。また、大型の魚が釣れたときは、たも網で魚をすくいあげるか、岸又は船縁付近まで近づけた魚を手でつかんで岸又は船に上げている。
【０００３】
しかし、魚を手で触ると、魚が暴れたときに、魚のヒレ等で手を怪我する恐れがある。魚の種類によっては、ヒレ等に毒を持っている魚もいるので、魚を手で触るのは危険な場合もある。釣針を外しているときであれば、魚が暴れたことによって、その釣針が手に刺さって怪我をすることもある。反対に、手で魚に触れることによって、爪等で魚を傷つけたり、弱らせてしまう恐れがある。
【０００４】
【発明が解決しようとする課題】
本発明の目的は、人間の手と魚を傷つけないための魚つかみ器を提供することにある。
【０００５】
【課題を解決するための手段】
本発明に係る魚つかみ器の要旨とするところは、魚の顎を係着する係着部と、握り部と、該係着部と握り部とを連結するとともに該係着部と握り部との回動中心となるピン孔が形成された連結部とを備えた挾持部材と、前記係着部に対して所定の間隔で対向させられて魚の顎を挾持する受け部と、握り部と、該受け部と握り部とを連結するとともに該受け部と握り部との回動中心となるピン孔が形成された連結部とを備えた受け部材と、前記挾持部材のピン孔と受け部材のピン孔とに挿通させ、該挾持部材と受け部材とを回動自在に結合するピン部材と、を含むことにある。魚つかみ器は、係着部、連結部及び握り部より構成される挾持部材と、受け部、連結部及び握り部より構成される受け部材とがピン部材によって回動自在に結合されている。
【０００６】
前記係着部及び前記受け部が、それぞれ湾曲した凸状形及び凹状形である場合を含む。係着部の形状が凸状形であり、受け部が凹状形であっても良い。
【０００７】
前記挾持部材と受け部材に、前記係着部と受け部とで魚の顎を挾持した状態を保持するためのロック手段を設けた場合を含む。前記係着部と前記受け部とで魚の顎を挾持した状態を保持するためのロック手段を設けることができる。
【０００８】
前記ロック手段が、前記挾持部材の所定位置に設けられたロックピンが挿入できるロックピン挿入部、及び前記受け部材の所定位置に設けられた該ロックピンの少なくとも一部が係合できるロックピン係止部を含むことができる。ロック手段は、ロックピン挿入部及びロックピン係止部を含む。
【０００９】
前記ロックピン係止部が、山部と谷部が、この順で複数個連続した形状であり、前記挾持部材又は前記受け部材を前記ピン部材を軸として回動させることによって、前記ロックピン挿入部の所定部分と複数の前記谷部のいずれかを合わせることができても良い。ロックピン挿入部と複数ある谷部のいずれかを合わせることができる。
【００１０】
【発明の実施の形態】
次に、本発明に係る魚つかみ器の実施形態を図面に基づいて説明する。
【００１１】
本発明の魚つかみ器１０を図１、図２及び図３に示す。魚つかみ器１０は、挾持部材１２と受け部材１４が、それぞれのピン孔２１，２７に挿通されたピン部材１６によって回動自在に結合されている。挾持部材１２は、魚の顎、特に下顎を係着する係着部１８、手で魚つかみ器１０を握るための握り部２２及びこの係着部１８と握り部２２を連結する連結部２０より構成され、この連結部２０にピン部材１６を挿通させるためのピン孔２１が開けられている。また、受け部材１４は、係着部１８に所定間隔を有して対向し、魚の顎を挾持するための受け部２４、手で魚つかみ器１０を握るための握り部２８及びこの受け部２４と握り部２８とを連結する連結部２６より構成され、この連結部２６にピン部材１６を挿通させるためのピン孔２７があけられている。係着部１８及び受け部２４は、それぞれ湾曲した凸状形及び凹状形であり、この凸状形及び凹状形が所定の間隔を有して対向し、この所定の間隔で魚の顎を挾持する。係着部１８と受け部２４によって、魚の下顎を挾持するが、上記した所定の間隔よりも魚の下顎の骨が太いことによって、魚の下顎を挾持したときに、魚の下顎の骨が所定の間隔に引っ掛かり、魚が逃げることはない。
【００１２】
この魚つかみ器１０は、図３（ａ）の受け部材１４の正面断面図に示す収納部４０に図３（ｂ）に示す挾持部材１２の握り部２２を挿入し、図１及び図２に示すように、ピン部材１６によって回動自在に結合することによって、簡単に組立られる。ピン部材１６を軸として挾持部材１２又は受け部材１４が回動することによって、図１の状態から図２の状態になる。
【００１３】
魚つかみ器１０を構成する挾持部材１２、受け部材１４及びピン部材１６は、合成樹脂を成形して作成したものであるが、木材や金属等を加工して作成することも可能である。
【００１４】
図２（ａ）に挾持部材１２又は受け部材１４がピン部材１６を軸として回動したときの正面図、即ち、手で挾持部材１２の握り部２２と受け部材１４の握り部２８を握った場合の図を示す。また、図２（ｂ）にそのときの正面断面図を示す。係着部１８と受け部２４は所定間隔で対向している。挾持部材１２の連結部２０と受け部材１４の連結部２６との間隔は、上記した所定の間隔よりも広い間隔になっている。図４に示すように魚４２の下顎を挾持したとき、魚４２の下顎付近の肉が係着部１８と受け部２４によって挾持される。更に、魚の下顎の骨が、係着部１８と受け部２４による所定間隔よりも太い場合、魚４２が逃げることはない。係着部１８と受け部２４は人間の指の形と似ているので、指で魚４２の顎をつかむのと同様につかむことができる。また、図１（ｂ）及び図２（ｂ）に示すように、挾持部材１２にはバネ部材３８が設置されており、握り部２２から手を離すとバネ部材３８の弾力によって、図２の状態から図１の状態に戻る。
【００１５】
図４に示すように魚４２を挾持した状態を保持したい場合は、魚つかみ器１０に設けられたロック手段２９によって可能になる。ロック手段２９は、挾持部材１２に設けられたロックピンが挿入できる穴であるロックピン挿入部３０、及び受け部材１４に設けられたロックピンが係止できるロックピン係止部３２によって構成される。ロックピン係止部３２は、山部３４と谷部３６とが、この順番で複数個連続したものである。ロックピン挿入部３０は２つあり、一方が谷部３６と一致するならば、他方は山部２４と一致する。魚４２を挾持したときに、ロックピン挿入部３０と谷部３６が一致する方のロックピン挿入部３０にロックピンを挿入することによって、ロックピンが山部３４で係止され、挾持部材１２及び受け部材１４が回動しなくなるので、魚４２を挾持した状態を保持することができる。ロックピンは、ロックピン挿入部３０に挿入できる円柱型又は円筒型の棒状体である。ロックピン挿入部３０は２つあり、一方のロックピン挿入部３０が谷部３６と一致するなら、他方のロックピン挿入部３０は山部３４と一致するので、谷部３６と谷部３６の間隔の半分の間隔で、係着部１８と受け部２４の間隔を調節することができ、細かな調節が可能になる。
【００１６】
ロック手段２９によって、魚４２の下顎を挾持した状態を保持したまま、簡単に魚の計量を行なうことが可能である。上記の方法で魚４２の下顎を挾持した状態を保持し、ロックピンが挿入されていない方のロックピン挿入部３０に、バネ計りのフックを引っかけることによって、魚４２の計量を行なうことができる。このとき、ロックピンを使用せずに、ロックピンの代わりにバネ計りのフックをロックピン挿入部３０に挿入し、魚４２の下顎を挾持した状態を保持することも可能であり、この状態で魚の計量を行うこともできる。
【００１７】
また、本発明の魚つかみ器１０で魚４２の下顎を挾持した状態で、魚の口に刺さった釣針を抜くこともできる。
【００１８】
以上、本発明に係る魚つかみ器について一実施形態を記載してきたが、本発明はこの実施形態に限定されるものではない。その他の実施形態として、挾持部材１２の係着部１８と受け部材１４の受け部２４に突起部４４を設けた実施形態を図５に示す。図５のような突起部４４を設けることによって、魚の下顎の骨が細かったり、魚のぬめりや水分によって、滑ってつかめない魚でもつかむことができる。突起部４４を尖らさないことによって、魚を傷つけることがない。係着部１８と受け部２４を波型にしたり、ゴム等の滑りにくい材質に変更することも可能である。更に、係着部１８を凹状形にし、受け部２４を凸状形にすることも可能である。
【００１９】
また、ロック手段２９は、上記に示した以外の形状でも良い。例えば、図６に示すように、受け部材１４に設けられたロックピン係止部４６を穴にしたロック手段４５も可能である。魚を挾持した状態で、挾持部材１２のロックピン挿入部３０と受け部材１４のロックピン係止部４６とが一致する所にロックピンを挿入することによって、この魚を挾持した状態を保つことができる。
【００２０】
更に、挾持部材１２にロックピン挿入部３０を設け、受け部材１４にロックピン係止部３２を設けていたが、これを反対にし、挾持部材１２にロックピン係止部を設け、受け部材１４にはロックピン挿入部を設けることもできる。即ち、挾持部材に谷部と山部が、この順で連続しているロックピン係止部が設けられ、受け部材には、ロックピンが挿入できる穴が設けられる。
【００２１】
ロックピン挿入部３０の数は２個であってが、２個以外の数であっても良い。
【００２２】
魚を挾持した状態を保持し、魚の計量を行なうときに、ロックピン挿入部３０のロックピンが挿入されていない方のロックピン挿入部３０にバネ計りのフックを挿入したが、魚つかみ器１０の任意の場所にバネ計りのフックが挿入できる部分を設けても良い。
【００２３】
その他、本発明は、その趣旨を逸脱しない範囲内で、当業者の知識に基づき種々なる改良、修正、変形を加えた態様で実施し得るものである。また、同一の作用又は効果が生じる範囲内で、いずれかの発明特定事項を他の技術に置換した形態で実施しても良い。更に、一体に構成されている発明特定事項を複数の部材から構成しても、複数の部材から構成されている特定事項を一体に構成した形態で実施しても良い。例えば、挾持部材にバネ部材を設置したが、使用しないことも可能である。
【００２４】
【発明の効果】
本発明に係る魚つかみ器は、挾持部材と受け部材によって魚の顎を挾持することができ、人間の手で直接魚をつかむことはない。従って、魚が暴れることによって、人間の手を怪我することがなくなる。また、指の爪によって、魚を傷つけることはない。このことより、人間と魚が傷つけ合うことが無くなる。更に、魚つかみ器で魚をつかんだ状態で、魚の口に刺さった釣針を外すことも可能である。
【００２５】
係着部及び受け部が、それぞれ湾曲した凸状部及び凹状部を有し、凸状部及び凹状部が対向していることによって、このそれぞれの形状を略指の形にし、人間が指で魚をつかむのと同じ様に魚をつかむことができ、魚を傷付けることがない。
【００２６】
挾持部材と受け部材に、係着部と受け部とで魚の顎を挾持した状態を保持するためのロック手段を設けることによって、このロック手段が、魚を挾持したままの状態を保持し、簡単に魚の計量を行うことが可能である。
【００２７】
ロック手段が、挾持部材の所定位置に設けられたロックピンが挿入できるロックピン挿入部、及び受け部材の所定位置に設けられた該ロックピンの少なくとも一部が係合できるロックピン係止部にすることによって、ロックピン挿入部にロックピンを挿入することで、ロックピンがロックピン係止部で係止され、魚の顎を挾持した状態を保持できる。このことは、片手で魚つかみ器を持ったまま、簡単な操作で魚の顎を挾持した状態を保持することが可能になる。
【００２８】
ロックピン係止部が、山部と谷部が、この順で複数個連続した形状であり、挾持部材又は受け部材をピン部材を軸として回動させることによって、ロックピン挿入部の所定部分と複数の谷部のいずれかを合わせることができるので、魚の顎の大きさに合わせて魚の顎を挾持した状態を調節することができる。
【図面の簡単な説明】
【図１】本発明の魚つかみ器の図であり、（ａ）は正面図、（ｂ）は正面断面図である。
【図２】ピン部材を軸として挾持部材又は受け部材を回動させた図であり、（ａ）は正面図、（ｂ）は正面断面図である。
【図３】魚つかみ器を構成する部材の図であり、（ａ）は受け部材の正面断面図、（ｂ）は挾持部材の正面図である。
【図４】魚つかみ器で魚の下顎を挾持した状態を示す図である。
【図５】係着部と受け部に突起部を設けた魚つかみ器の正面図。
【図６】ロックピン係止部を穴にした魚つかみ器の正面図。
【符号の説明】
１０：魚つかみ器
１２：挾持部材
１４：受け部材
１６：ピン部材
１８：係着部
２０：連結部
２１，２７：ピン孔
２２：握り部
２４：受け部
２６：連結部
２８：握り部
２９，４５：ロック手段
３０：ロックピン挿入部
３２，４６：ロックピン係止部
３４：山部
３６：谷部
３８：バネ部材
４０：収納部
４２：魚
４４：突起部
【図１】
0003650313.tif 000002
【図２】
0003650313.tif 000003
【図３】
0003650313.tif 000004
【図４】
0003650313.tif 000005
【図５】
0003650313.tif 000006
【図６】
0003650313.tif 000007